(57)【要約】【課題】  装置全体が小型であるとともに、明るい照明光を得ることが可能な照明装置及びプロジェクタを提供すること。【解決手段】  光を射出する複数の光源装置１０Ａ，１０Ｂと、複数の光源装置１０Ａ，１０Ｂから射出した射出光をそれぞれ平行化する各々が複数のレンズを備えた複数の平行化光学系１１Ａ，１２Ａ、１１Ｂ，１２Ｂとを備え、複数の平行化光学系１１Ａ，１２Ａ、１１Ｂ，１２Ｂのうち少なくとも一つの平行化光学系１１Ａ，１２Ａ、１１Ｂ，１２Ｂは、複数のレンズ間の光路が他の光路と交差するように配置されていることを特徴とする。【選択図】  図１
2007065550.tif 000002
【特許請求の範囲】
【請求項１】
光を射出する複数の光源装置と、
前記複数の光源装置から射出した射出光をそれぞれ平行化するとともに、各々が複数のレンズを備えた複数の平行化光学系とを備え、
前記複数の平行化光学系のうち少なくとも一つの前記平行化光学系は、前記複数のレンズ間の光路が他の光路と交差するように配置されていることを特徴とする照明装置。
【請求項２】
前記平行化光学系が、テレセントリック光学系であることを特徴とする請求項１に記載の照明装置。
【請求項３】
前記複数の平行化光学系から射出された射出光の照度分布をそれぞれ均一化する複数の導光素子を備え、
前記複数の導光素子のうち少なくとも一つは、その光軸が前記平行化光学系から射出された射出光の光軸と交差して配置されていることを特徴とする請求項１または請求項２に記載の照明装置。
【請求項４】
請求項１から請求項３のいずれか１項に記載の照明装置と、
該照明装置から射出された光を画像信号に応じて変調する光変調装置と、
該光変調装置により変調された光を投射する投射装置とを備えることを特徴とするプロジェクタ。
【発明の詳細な説明】
【技術分野】
【０００１】
本発明は、照明装置及びプロジェクタに関する。
【背景技術】
【０００２】
近年、プロジェクタの光源として、光源装置として、例えば、固体発光素子を用いることが提案されている。特に、固体発光素子である発光ダイオード（以下、「ＬＥＤ」という。）は、超小型、超軽量、長寿命であるという特徴を有する。また、ＬＥＤは、照明目的で用いるための開発、改良によって、高輝度化及び高効率化が図られている。このことから、プロジェクタの小型化及び低消費電力化を図るために、プロジェクタの照明装置にＬＥＤを用いることが期待され、ＬＥＤを光源とした照明装置を用い液晶ライトバルブ等の光変調装置を照明する画像表示装置が提案されている（例えば、特許文献１参照。）。
【０００３】
この特許文献１に記載の画像表示装置は、複数の光源装置を並列に配置し、これらの光源装置から射出された光を凸レンズによりそれぞれ平行光にした後、マルチレンズアレイにより、照明光の光量分布を均一にしている。
【特許文献１】特開２０００−１３１７６２号公報
【発明の開示】
【発明が解決しようとする課題】
【０００４】
しかしながら、上記特許文献１に記載の画像表示装置では、より明るい照明光を得るために、光源装置を多灯にすると、複数の光源装置を並列に配置しなくてはならないため、照明装置全体が大型化してしまうことになる。
【０００５】
本発明は、上記の課題を解決するためになされたものであって、装置全体が小型であるとともに、明るい照明光を得ることが可能な照明装置及びプロジェクタを提供することを目的とする。
【課題を解決するための手段】
【０００６】
上記目的を達成するために、本発明は、以下の手段を提供する。
本発明の照明装置は、光を射出する複数の光源装置と、前記複数の光源装置から射出した射出光をそれぞれ平行化するとともに、各々が複数のレンズを備えた複数の平行化光学系とを備え、前記複数の平行化光学系のうち少なくとも一つの前記平行化光学系は、前記複数のレンズ間の光路が他の光路と交差するように配置されていることを特徴とする。
【０００７】
本発明に係る照明装置では、複数の光源装置から射出された射出光は、平行化光学系により、平行化される。このとき、複数の平行化光学系のうち少なくとも一つの平行化光学系は、複数のレンズ間の光路が他の光路と交差するように配置されている。このように、他の光路と交差させることにより、従来のように、光源装置を並列に配置し、並列した光を射出する場合に比べ、平行化光学系に用いられる複数のレンズ間の空間を有効に活用することができる。したがって、複数の光源装置を用いても、装置全体を小型化することが可能であるとともに、明るい照明光を得ることが可能となる。
【０００８】
また、本発明の照明装置は、前記平行化光学系が、テレセントリック光学系であることが好ましい。
本発明に係る照明装置では、平行化光学系がテレセントリック光学系であるため、照射面の所定の領域に収束される平行光の主光線の角度を小さくすることができるので、照明効率を向上させることができる。また、テレセントリック光学系を用いることにより、複数のレンズ間に空間ができる。したがって、この空間で、光源装置から射出された射出光を交差させることにより、装置全体の小型化を図ることが可能となる。
【０００９】
また、本発明の照明装置は、前記複数の平行化光学系から射出された射出光の照度分布をそれぞれ均一化する複数の導光素子を備え、前記複数の導光素子のうち少なくとも一つは、その光軸が前記平行化光学系から射出された射出光の光軸と交差して配置されていることを特徴とするが好ましい。
【００１０】
本発明に係る照明装置では、平行化光学系から射出された射出光の光軸と導光素子の光軸とを交差させて配置することにより、導光素子の占有スペースを別に設けることなく、光源装置から射出された射出光の照度分布を均一化することが可能となる。したがって、複数の光源装置を用いても、装置全体を小型化することができ、明るく、かつ、均一な照明光を得ることが可能となる。
【００１１】
本発明のプロジェクタは、上記の照明装置と、該照明装置から射出された光を画像信号に応じて変調する光変調装置と、該光変調装置により変調された光を投射する投射装置とを備えることを特徴とする。
【００１２】
本発明に係るプロジェクタでは、照明装置より射出された光は光変調装置に入射される。そして、光変調装置により変調された画像が、投射装置によって投影される。このとき、照明装置は、上述したように、小型であるとともに、明るい照明光であるため、これを用いたプロジェクタは、より鮮明な画像を投射することが可能となる。
【発明を実施するための最良の形態】
【００１３】
以下、本発明の実施形態につき、図面を参照して説明する。なお、以下の説明に用いる各図面では、各部材を認識可能な大きさとするため、各部材の縮尺を適宜変更している。なお、以下の説明においては、必要に応じてＸＹＺ直交座標系を設定し、このＸＹＺ直交座標系を参照しつつ各部材の位置関係について説明する。
【００１４】
［第１実施形態］
本発明の第１実施形態の照明装置について、図１を参照して説明する。
照明装置１は、図１に示すように、＋Ｘ軸方向に光を射出する第１ＬＥＤ（光源装置）１０Ａと、＋Ｙ軸方向に光を射出する第２ＬＥＤ（光源装置）１０Ｂと、第１，第２ＬＥＤ１０Ａ，１０Ｂから射出した射出光を平行化する第１，第２コリメータレンズ（平行化光学系）１１Ａ，１１Ｂと、第１，第２コリメータレンズ１１Ａ，１１Ｂから射出された射出光を集光する第１，第２集光レンズ（平行化光学系）１２Ａ，１２Ｂと、第１，第２集光レンズ１２Ａ，１２Ｂにより集光された光の照度分布を均一化する第１，第２ロッドインテグレータ（導光素子）１３Ａ，１３Ｂとを備えている。本実施形態の平行化光学系は、第１コリメータレンズ１１Ａ及び第１集光レンズ１２Ａ、第２コリメータレンズ１１Ｂ及び第２集光レンズ１２Ｂによりそれぞれ構成されている。
【００１５】
第１ロッドインテグレータ１３Ａは、第１集光レンズ１２Ａから射出し、＋Ｘ軸方向に向かう光を＋Ｙ軸方向に反射させる反射面１３ａを有しており、入射した光を＋Ｙ軸方向に導光させるようになっている。また、第２ロッドインテグレータ１３Ｂは、第２集光レンズ１２Ｂから射出し、＋Ｙ軸方向に向かう光を＋Ｘ軸方向に反射させる反射面１３ｂと、内部を導光した光を＋Ｙ軸方向に反射させる反射面１３ｃとを有している。これら反射面１３ａ，３ｂ，１３ｃは、Ｙ軸に対して略４５度傾斜しており、これら反射面１３ａ，１３ｂ，１３ｃには、入射した光を反射する反射膜が形成されている。反射膜は、例えば、誘電体多層膜をコーティングすることにより形成されている。さらに、第１，第２ロッドインテグレータ１３Ａ，１３Ｂから射出された光は、ロッドインテグレータ１５により均一化されるようになっている。
また、第１，第２ロッドインテグレータ１３Ａ，１３Ｂ及びロッドインテグレータ１５は、ガラスや透明樹脂等の光透過性を有する材料で、中実に構成される四角柱形状の構造物である。
【００１６】
また、第１，第２コリメータレンズ１１Ａ，１１Ｂ及び第１，第２集光レンズ１２Ａ，１２Ｂを含めた光学系は、図２に示すように、テレセントリック光学系である。
図２は、本実施形態のテレセントリック光学系２０の構成を示す概略図である。テレセントリック光学系２０は、第１，第２ロッドインテグレータ１３Ａ，１３Ｂそれぞれに結像するものである。第１，第２コリメータレンズ１１Ａ，１１Ｂと第１，第２集光レンズ１２Ａ，１２Ｂとのそれぞれの距離は、ｆ１（コリメータレンズの焦点距離）＋ｆ２（集光レンズの焦点距離）となっている。また、第１，第２コリメータレンズ１１Ａ，１１Ｂ及び第１，第２集光レンズ１２Ａ，１２Ｂは、両側テレセントリック性を有している。ただし、レンズの形状、大きさ、配置間隔及び枚数、テレセントリック性、倍率その他のレンズ特性は、要求される特性によって適宜変更され得るものであり、図２の例に限定されるものではない。さらに、第１，第２コリメータレンズ１１Ａ，１１Ｂ及び第１，第２集光レンズ１２Ａ，１２Ｂは、レンズを１枚のみ用いて説明したが、複数の凸レンズ及び凹レンズを含んで構成されていても良い。
【００１７】
また、第１ＬＥＤ１０Ａの射出面は、図１に示すように、＋Ｘ軸方向を向いており、第２ＬＥＤ１０Ｂは＋Ｙ軸方向を向いて配置されている。そして、第1コリメータレンズ１１Ａから射出した射出光と、第２コリメータレンズ１１Ｂから射出した射出光とは直交（交差）している。すなわち、第１，第２コリメータレンズ１１Ａ，１１Ｂ及び第１，第２集光レンズ１２Ａ，１２Ｂは、第１コリメータレンズ１１Ａから射出した平行光と、第２コリメータレンズ１１Ｂから射出した平行光とが、次の光学系である第１，第２集光レンズ１２Ａ，１２Ｂまでの間で直交するように配置されている。すなわち、第１コリメータレンズ１１Ａと第１集光レンズ１２Ａとからなる平行化光学系の光路が、第２コリメータレンズ１１Ｂと第１集光レンズ１２Ｂとからなる平行化光学系の光路（他の光路）とが交差するように配置されている。
【００１８】
次に、このように構成された本実施形態に係る照明装置１の照明方法について、以下に説明する。
まず、第１ＬＥＤ１０Ａから射出された射出光は、＋Ｘ軸方向に向かって射出され、第２ＬＥＤ１０Ｂから射出された射出光は、＋Ｙ軸方向に向かって射出される。これらの射出光は、第１，第２コリメータレンズ１１Ａ，１１Ｂにより平行化され、交差した後、第１，第２集光レンズ１２Ａ，１２Ｂによりそれぞれ集光される。
【００１９】
第１ＬＥＤ１０Ａから射出され、第１集光レンズ１２Ａにより集光された光は、第１ロッドインテグレータ１３Ａに入射する。そして、第１ロッドインテグレータ１３Ａに入射した＋Ｘ軸方向に向かう光は、反射面１３ａにより反射され＋Ｙ軸方向に曲げられる。次いで、第１ロッドインテグレータ１３Ａの内部を導光した＋Ｙ軸方向に向かう光は、ロッドインテグレータ１５に入射する。
【００２０】
一方、第２ＬＥＤ１０Ｂから射出され、第２集光レンズ１２Ｂにより集光された光は、第２ロッドインテグレータ１３Ｂに入射する。そして、第２ロッドインテグレータ１３Ｂに入射した＋Ｙ軸方向に向かう光は、反射面１３ｂにより反射され＋Ｘ軸方向に曲げられる。次いで、第２ロッドインテグレータ１３Ｂの内部を導光した後、反射面１３ｃにより反射された光は、＋Ｙ軸方向に曲げられ、ロッドインテグレータ１５に入射する。
【００２１】
本実施形態に係る照明装置１によれば、第１コリメータレンズ１１Ａから射出された射出光の光路と、第２コリメータレンズ１１Ｂから射出された射出光の光路とが交差するように、第１，第２コリメータレンズ１１Ａ，１１Ｂ及び第１，第２集光レンズ１２Ａ，１２Ｂを配置させることにより、第１，第２コリメータレンズ１１Ａ，１１Ｂと第１，第２ロッドインテグレータ１３Ａ，１３Ｂとの間の空間を有効に活用することができる。したがって、複数のＬＥＤ１０Ａ，１０Ｂを用いても、装置全体を小型化することができ、明るく、かつ、均一な照明光を得ることが可能となる。
【００２２】
［第２実施形態］
次に、本発明に係る第２実施形態について、図３を参照して説明する。なお、以下に説明する各実施形態において、上述した第１実施形態に係る照明装置１と構成を共通とする箇所には同一符号を付けて、説明を省略することにする。
本実施形態に係るプロジェクタ３０において、第１実施形態と異なる点は、照明装置４０ｒ、４０ｇ、４０ｂとして赤色光，緑色光，青色光の３色を用いる点である。
【００２３】
本実施形態のプロジェクタ３０は、図３に示すように、光源装置４１Ｒ，５１Ｇ，６１Ｂから射出されたＲ（赤）、Ｇ（緑）、Ｂ（青）の異なる色光を、光変調装置７０Ｒ，７０Ｇ，７０Ｂによりそれぞれ空間変調して、ダイクロイックプリズム８０により合成して、カラー画像を表示する三板式のカラープロジェクタである。
【００２４】
図１は、本実施形態に係るプロジェクタ３０の概略を示す図である。
プロジェクタ３０は、図１に示すように、赤色のレーザ光を射出するＲ光用照明装置４０Ｒと、緑色のレーザ光を射出するＧ光用照明装置４０Ｇと、青色のレーザ光を射出するＢ光用照明装置４０Ｂと、それぞれの照明装置４０Ｒ、４０Ｇ、４０Ｂから射出されたＲ、Ｇ、Ｂの輝度を画像信号に応じて変調する透過型液晶ライトバルブ（光変調装置）７０Ｒ、７０Ｇ、７０Ｂと、変調された各色光を合成してカラー画像とするダイクロイックプリズム８０と、ダイクロイックプリズム８０から射出されたカラー画像をスクリーン１００に投射する投射レンズ（投射装置）９０とを備えている。
【００２５】
Ｒ光用照明装置４０Ｒは、＋Ｘ軸方向に光を射出する赤色ＬＥＤ（光源装置）４１Ｒと、赤色ＬＥＤ４１Ｒから射出した射出光を平行化するコリメータレンズ（平行化光学系）４２と、コリメータレンズ４２から射出された射出光を集光する集光レンズ（平行化光学系）４３と、集光レンズ４３により集光された＋Ｘ軸方向に向かう光の光路を＋Ｙ軸方向に９０度曲げる三角プリズム４４と、三角プリズム４４から射出された光の照度分布を均一化するロッドインテグレータ（導光素子）４５と、＋Ｙ軸方向に向かう光の光路を−Ｘ軸方向に９０度曲げる三角プリズム４６と、三角プリズム４６から射出された光の照度分布を均一化するロッドインテグレータ４７とを備えている。そして、ロッドインテグレータ４７から射出された光は、透過型液晶ライトバルブ７０Ｒに向かうようになっている。
【００２６】
Ｇ光用照明装置４０Ｇは、−Ｘ軸方向に光を射出する緑色ＬＥＤ（光源装置）５１Ｇと、緑色ＬＥＤ５１Ｇから射出した射出光を平行化するコリメータレンズ（平行化光学系）５２と、コリメータレンズ５２から射出された射出光を集光する集光レンズ（平行化光学系）５３と、集光レンズ５３により集光された−Ｘ軸方向に向かう光の光路を９０度曲げる三角プリズム５４と、三角プリズム５４から射出された光の照度分布を均一化するロッドインテグレータ（導光素子）５５とを備えている。そして、ロッドインテグレータ５５から射出された光は、透過型液晶ライトバルブ７０Ｇに向かうようになっている。
【００２７】
Ｂ光用照明装置４０Ｂは、−Ｘ軸方向に光を射出する青色ＬＥＤ（光源装置）６１Ｂと、青色ＬＥＤ６１Ｂから射出した射出光を平行化するコリメータレンズ（平行化光学系）６２と、コリメータレンズ６２から射出された射出光を集光する集光レンズ（平行化光学系）６３と、集光レンズ６３により集光された−Ｘ軸方向に向かう光の光路を＋Ｙ軸方向に９０度曲げる三角プリズム６４と、三角プリズム６４から射出された光の照度分布を均一化するロッドインテグレータ６５と、＋Ｙ軸方向に向かう光の光路を＋Ｘ軸方向に９０度曲げる三角プリズム６６と、三角プリズム６６から射出された光の照度分布を均一化するロッドインテグレータ６７とを備えている。そして、ロッドインテグレータ６７から射出された光は、透過型液晶ライトバルブ７０Ｂに向かうようになっている。
【００２８】
ロッドインテグレータ４５及びロッドインテグレータ５５は、コリメータレンズ６２と集光レンズ６３との間に配置されており、ロッドインテグレータ４５及びロッドインテグレータ５５の内部を導光する赤色光及び緑色光の光路とコリメータレンズ６２から射出された青色光の光路とは交差するように配置されている。
さらに、ロッドインテグレータ５５は、コリメータレンズ４２と集光レンズ４３との間に配置されている。すなわち、ロッドインテグレータ５５は、内部を導光する緑色光の光路が、コリメータレンズ４２から射出された赤色光の光路にも交差するように配置されている。
【００２９】
また、各照明装置４０Ｒ，４０Ｇ，４０Ｂに用いられるコリメータレンズ４２，５２，６２及び集光レンズ４３，５３，６３を含む光学系は、第１実施形態と同様に、テレセントリック光学系となっており、各ＬＥＤ４１Ｒ，５１Ｇ，６１Ｂから射出した射出光を三角プリズム４４，５４，６４にそれぞれ結像するものである。
【００３０】
次に、以上の構成からなる本実施形態のプロジェクタ３０を用いて、画像をスクリーン１００に投射する方法について説明する。
まず、赤色ＬＥＤ４１Ｒから射出された赤色光についての作用を説明する。Ｒ光用照明装置４０ＲのＲ光ＬＥＤ４１Ｒに電流が供給されると、図３に示すように、Ｒ光ＬＥＤ４１ＲからＲ光がコリメータレンズ４２に向けて射出される。
【００３１】
そして、コリメータレンズ４２により平行化された光は、ロッドインテグレータ５５に交差して通過した後、集光レンズ４３により集光され、三角プリズム４４に入射する。三角プリズム４４により反射した光は、ロッドインテグレータ４５の内部を導光した後、三角プリズム４６により反射し、ロッドインテグレータ４７に入射する。ロッドインテグレータ４７の内部を導光した光は、透過型液晶ライトバルブ７０Ｒに入射し、その後、プロジェクタ３０に入力された映像信号に基づいて変調され、ダイクロイックプリズム８０に向けて射出される。
【００３２】
次に、緑色ＬＥＤ５１Ｇから射出された緑色光についての作用を説明する。Ｇ光用照明装置４０ＧのＧ光ＬＥＤ５１Ｇに電流が供給されると、図３に示すように、Ｇ光ＬＥＤ５１ＧからＧ光がコリメータレンズ５２に向けて射出される。
【００３３】
そして、コリメータレンズ５２により平行化された光は、集光レンズ５３により集光され、三角プリズム５４に入射する。三角プリズム５４により反射した光は、ロッドインテグレータ５５の内部を導光した後、三角プリズム５６により反射し、ロッドインテグレータ５７に入射する。ロッドインテグレータ５７の内部を導光した光は、透過型液晶ライトバルブ７０Ｇに入射し、その後、プロジェクタ３０に入力された映像信号に基づいて変調され、ダイクロイックプリズム８０に向けて射出される。
【００３４】
次に、青色ＬＥＤ６１Ｂから射出された青色光についての作用を説明する。Ｂ光用照明装置４０ＢのＢ光ＬＥＤ６１Ｂに電流が供給されると、図３に示すように、Ｂ光ＬＥＤ６１ＢからＢ光がコリメータレンズ６２に向けて射出される。
【００３５】
そして、コリメータレンズ６２により平行化された光は、ロッドインテグレータ４５及びロッドインテグレータ５５に交差して通過した後、集光レンズ６３により集光され、三角プリズム６４に入射する。三角プリズム６４により反射した光は、ロッドインテグレータ６５の内部を導光した後、三角プリズム６６により反射し、ロッドインテグレータ６７に入射する。ロッドインテグレータ６７の内部を導光した光は、透過型液晶ライトバルブ７０Ｂに入射し、その後、プロジェクタ３０に入力された映像信号に基づいて変調され、ダイクロイックプリズム８０に向けて射出される。
【００３６】
ダイクロイックプリズム８０に入射したＲ光，Ｇ光，Ｂ光が、青色光を反射する青色光反射ダイクロイック膜と緑色光を反射する緑色光反射ダイクロイック膜とによって合成されてカラー画像を表す光が形成され、投射レンズ９０に向けて射出される。投射レンズ９０は、カラー画像を表す光をスクリーン１００に向けて拡大投射して、カラー画像を表示する。
【００３７】
本実施形態に係る照明装置４０Ｒ、４０Ｇ、４０Ｂによれば、コリメータレンズ４２は、コリメータレンズ４２から射出された赤色光の光路が、ロッドインテグレータ５５の内部を導光する緑色光の光路と交差するように配置され、コリメータレンズ６２は、コリメータレンズ６２から射出された青色光の光路が、ロッドインテグレータ４５の内部を導光する赤色光の光路及びロッドインテグレータ５５の内部を導光する緑色光の光路と交差するように配置させることにより、コリメータレンズ４２と集光レンズ４３との空間及びコリメータレンズ６２と集光レンズ６３との空間を有効に活用することができる。また、この空間にロッドインテグレータ４５，５５を配置することにより、ロッドインテグレータ４５，５５の占有スペースを別に設けることなく、緑色光及び赤色光の照度分布を均一化することが可能となる。したがって、複数のＬＥＤ４１Ｒ，ＬＥＤ５１Ｇ，ＬＥＤ６１Ｂを用いても、装置全体を小型化することができ、明るく、かつ、均一な照明光を得ることが可能となる。さらに、照明装置４０Ｒ、４０Ｇ、４０Ｂは、均一な照明光を照射するとともに、小型化されているため、この照明装置４０Ｒ、４０Ｇ、４０Ｂをプロジェクタ３０に用いることにより、明るさが均一な画像を投射することが可能となる。
【００３８】
なお、本実施形態において、コリメータレンズ６２から射出された青色光とロッドインテグレータ４５の内部を導光する赤色光及びロッドインテグレータ５５の内部を導光する緑色光とを交差させ、さらに、コリメータレンズ４２から射出された赤色光とロッドインテグレータ５５の内部を導光する緑色光とを交差させたが、交差させる色光はこれに限るものではなく、例えば、コリメータレンズ４２から射出された赤色光とロッドインテグレータ５５の内部を導光する緑色光のみを交差させても良い。すなわち、少なくとも１つの平行化光学系は、複数のレンズ間の光路が他の光路と交差するように配置されていれば良い。このような構成でも、本願発明の効果を奏することができる。さらに、交差させる色光、構成要素については適宜変更することが可能である。
【００３９】
なお、本発明の技術範囲は上記実施形態に限定されるものではなく、本発明の趣旨を逸脱しない範囲において種々の変更を加えることが可能である。
例えば、光変調装置として透過型液晶ライトバルブ４０Ｒ，４０Ｇ，４０Ｂを用いたがこれに限るものではなく、例えば、ＤＭＤ（Digital Micromirror Device）等の反射型光変調装置（ミラー変調器）を用いてもよい。
また、一つの平行化光学系として、コリメータレンズ及び集光レンズを１枚ずつ用いた構成としたが、これに限らず、用途に応じて枚数を変更させることが可能である。
【図面の簡単な説明】
【００４０】
【図１】本発明の第１実施形態に係る照明装置を示す平面図である。
【図２】図１のテレセントリック光学系を示す概略図である。
【図３】本発明の第２実施形態に係る照明装置を示す平面図である。
【符号の説明】
【００４１】
１，４０Ｒ，４０Ｇ，４０Ｂ…照明装置、１０Ａ…第１ＬＥＤ（光源装置）、１０Ｂ…第２ＬＥＤ（光源装置）、１１Ａ…コリメータレンズ（平行化光学系）、１１Ｂ…コリメータレンズ（平行化光学系）、１２Ａ…第１集光レンズ（平行化光学系）、１２Ｂ…第２集光レンズ（平行化光学系）、２０…テレセントリック光学系、３０…プロジェクタ、４１Ｒ…赤色ＬＥＤ（光源装置）、４２，５２，６２…コリメータレンズ（平行化光学系）、４３，５３，６３…集光レンズ（平行化光学系）、５１Ｇ…緑色ＬＥＤ（光源装置）、６１Ｂ…青色ＬＥＤ（光源装置）、７０Ｒ、７０Ｇ、７０Ｂ…透過型液晶ライトバルブ（光変調装置）、９０…投射レンズ（投射装置）
【図１】
2007065550.tif 000003
【図２】
2007065550.tif 000004
【図３】
2007065550.tif 000005